(57)【特許請求の範囲】
【請求項１】
連続して長手方向に連続穴を形成した巻筒ばねは、筒ばね部と密着巻部とより成り、前記筒ばね部がテレスコピックパイプの内部に配されると共に、前記筒ばね部と密着巻部との間に多数のピンが突設の制御ドラムが配され、このピン制御ドラムの外周に円弧状に曲げられた前記巻筒ばねが密着して抱き付くことで、ピン制御ドラムに突設の多数のピンが巻筒ばねの多数の連続孔に噛み合うようにしたことを特徴とするテレスコピックパイプ伸縮装置。
【請求項２】
上記巻筒ばねが、伸長時の凹面側が内側になるように密着巻癖が与えられてなることを特徴とする請求項１記載のテレスコピックパイプ伸縮装置。
【請求項３】
上記巻筒ばねが、伸長時の凸面側が内側になるように密着巻癖が与えられてなることを特徴とする請求項１記載のテレスコピックパイプ伸縮装置。
【請求項４】
上記ピン制御ドラムには回転駆動手段及び回転阻止手段が具備され、ピン制御ドラムを回転駆動及び回転阻止しうるようになされてなる請求項１乃至３のいずれか１つに記載のテレスコピックパイプ伸縮装置。
【請求項５】
上記回転阻止手段がワンウエイ機能を与えられ、テレスコピックパイプの伸長時又は縮小時にワンウエイ機能を奏するようになされたことを特徴とする請求項４に記載のテレスコピックパイプ伸縮装置。
【請求項６】
前記巻筒ばねを挟んで前記ピン制御ドラムと反対側に座屈防止ガイドを配し、この座屈防止ガイドに、ピン制御ドラムのピンの通過するピン溝が形成されていることを特徴とする請求項１乃至５のいずれか１つに記載のテレスコピックパイプ伸縮装置。
【発明の詳細な説明】
【０００１】
【発明の属する技術分野】
本発明は、カメラ、照明器具等を載置し、任意の高さに支持することができるテレスコピックパイプ伸縮装置に関する。
【０００２】
【従来の技術】
従来のテレスコピックパイプ伸縮装置としては、特許第２６５２５９２号にあるように、アーチ状に湾曲した断面形状を有する可撓性の帯状体（通称コンベックス）をテレスコピックパイプ内に収め、ピンチロールによりこれを進退させることによりテレスコピックパイプを伸縮させるものが知られている。
【０００３】
【発明が解決しようとする課題】
上記従来の装置においては、コンベックスを用いて荷重を支えているので、大きな荷重に耐えられず、座屈したりピンチロールのところでずり下がってしまうことがあった。また、このずり下がりを防ぐためにピンチロールにロック機構を備えるものもあるが、構造や操作が複雑なものが多かった。
【０００４】
そこで、この発明は、荷重に対する保持力を向上させ、テレスコピックパイプを所望の長さに確実且つ容易に固定及び解除のできるテレスコピックパイプ伸縮装置を提供することを目的としている。
【０００５】
【課題を解決するための手段】
上記課題を解決するために、この発明は、テレスコピックパイプの内部に、連続孔の形成された巻筒ばねを配設し、該巻筒ばねの密着巻部と筒ばね部との間にピン制御ドラム及び座屈防止ガイドを設け、該ピン制御ドラムの３ケ以上のピンに巻筒ばねの連続孔が常時噛合うようにした。
【０００６】
これにより、巻筒ばねがピン制御ドラムに密着して抱き付き、３ケ以上のピンが連続孔としっかり噛み合い、巻筒ばねを確実に駆動し、固定することができ、しかも該巻筒ばねの耐座屈力は大きいので、荷重に強いテレスコピックパイプ伸縮装置を提供することができる。
【０００７】
また、上記巻筒ばねが、伸長時の凹面側が内側になるように密着巻癖が与えられている（請求項２）のものでは、伸長時の筒ばね部の形状が３６０°近辺に作れるので耐座屈力を一層大きくすることができる利点がある。
【０００８】
また上記巻筒ばねが、伸長時の凸面側が内側になるように密着巻癖が与えられている（請求項３）のものでは、ピン制御ドラムへの抱き付き密着状態が具合良く、ピンによる送りが一層確実なものとなっている。
【０００９】
更に、上記ピン制御ドラムに回転駆動手段及び回転阻止手段が具備されたもの（請求項４）では、ハンドルやモータにより能率よく回転駆動でき、また、ブレーキやロック機構により能率よく回転阻止できる。
【００１０】
また、上記回転阻止手段がワンウエイ機能を与えられたもの（請求項５）では、テレスコピックパイプの伸長時又は縮小時にワンウエイ機能を奏して回転駆動手段の負担を軽くし、且つ自動的に回転阻止ができるので極めて安全なものとなる。
【００１１】
更に、前記座屈防止ガイドに、ピン制御ドラムのピンの通過するピン溝が形成されているもの（請求項６）では、ピンの連続孔との噛合いが一層スムーズとなり、且つ確実なものとなる。
【００１２】
【発明の実施の形態】
以下、この発明の実施の形態を図面により説明する。図１に示すこの発明のテレスコピックパイプ伸縮装置は、伸縮自在なテレスコピックパイプ１とテレスコピックパイプ１が立設される基体３と、これらテレスコピックパイプ１及び基体３の内部に配置され、前記テレスコピックパイプ１を所望の高さに固定保持する巻筒ばね２と、この巻筒ばね２と接触するピン制御ドラム４及び座屈防止ガイド５とを有して構成される。
【００１３】
前記テレスコピックパイプ１は、上端のものから下端のものに向って漸次内径が大きくなる複数のパイプから構成され、それぞれのパイプの上端部及び下端部には、隣合うパイプを互いに係止するためのフランジが形成されており、伸縮自在であると共に伸ばした時にパイプ同士が離脱しないようになされている。また、このテレスコピックパイプ１の上端部には、カメラや照明器具等を載置可能な先端具１０が固定されている。
【００１４】
前記基体３は、内部に空間を有する箱状の部材であり、上面に前記テレスコピックパイプ１の最下段のパイプが固定され、内部の空間はこのパイプの内部と上面に穿設された穴を介して連通している。また、この基体３の内部空間には巻筒ばね２の一部を構成する密着巻部２２、後述するピン制御ドラム４及び座屈防止ガイド５が収納されている。
【００１５】
前記巻筒ばね２は、帯状の鋼板に幅方向を軸として湾曲しようとする縦応力成分と、長手方向を軸として湾曲しようとする横応力成分とが付与され、長手方向に丸まろうとするモーメントと筒形状になろうとするモーメントとが共存するもので、密着巻部２２より繰り出された部分が筒形状に変形する性質を有するものである。
【００１６】
また、前記巻筒ばね２は、図２に示すように、略筒状となった部分の幅方向の断面において、この略円形の断面の中心点Ｏと筒ばね部２４の幅方向の両端部Ｐ，Ｑとが形成し、該筒ばね部２４の凸側の角度αが１８０〜４００°となっていることを特徴とする。これは巻筒ばね２を製造する際に鋼板に付与する応力の強弱を調整することによりなすことができる。更に、この第１の実施の形態においては、この巻筒ばね２は、縦応力成分のベクトルと横応力成分のベクトルとが略同方向を向くように付与されているため、繰り出された部分が密着巻部２２とは反対側に凸となるように湾曲する。即ち、伸長時の凹面側が内側になるように密着巻癖が与えられている。
【００１７】
そして、この巻筒ばね２は、図１及び図２に示すように、密着巻部２２から引き出された部分が基体３の上面に設けられた孔穿節１１を介して前記テレスコピックパイプ１内に挿通され、他端側が前記先端具１０と連結している。前記孔穿節１１は、筒状になった巻筒ばね２が挿通可能な形状の馬蹄形の孔が形成された節である。
【００１８】
基体３の中に設けられたピン制御ドラム４の周囲には、ピン４０が植設されている。多数のピン４０・４０…が巻筒ばね２の連続孔２０・２０…と噛合っており、巻筒ばね２の密着巻癖が連続孔２０とピン４０との引掛りを強固なものにしている。
また、ピン制御ドラム４とわずかの隙間を置いて座屈防止ガイド５が配設されており、これにはピン制御ドラム４のピン４０が通過するピン溝５０が形成されている。
【００１９】
また、ピン制御ドラム４には回転駆動手段４２及び回転阻止手段４４が具備され、ピン制御ドラム４をハンドルやモータなどで回転駆動し、更には爪車４５と爪棒４６で回転阻止することで、テレスコピックパイプ１を伸縮させ、停止させることができるようになされている。
爪棒４６は、爪車４５に復元ばね４７の力で圧接されており、図においては時計方向に回転阻止され、反時計方向に回転許容されるタイプの回転阻止手段４４が示されており、爪棒４６を手で押し下げると巻筒ばね２の巻戻力及び重力により自動的に先端具１０が降下するのである。
【００２０】
図１のものは、方向性のある爪車４５とこれに引掛かる爪棒４６とでワンウエイ機能が与えられているので、回転阻止手段４４はテレスコピックパイプ１の縮小時にのみ働くことになり、手で直接テレスコピックパイプ１を引き伸ばすことも可能である。（但し、縮める際には爪棒４６を手で押し下げる必要がある。）
【００２１】
図示構造のものの使用を説明すると、操作者は先端具１０に荷を載せ、回転駆動手段４２を動かしてピン制御ドラム４を回し、多数のピン４０を連続孔２０と噛み合わせて巻筒ばね２を押し上げる。テレスコピックパイプ１は伸びて長くなり、先端具１０に載った荷重は筒ばね部２４が支え、回転阻止手段４４の爪車４５と爪棒４６とが支持する。
降下させる際には、操作者が爪棒４６を押し下げて回転阻止手段を解除すれば巻筒ばね２の巻戻力及び重力によって筒ばね部２４が降下してテレスコピックパイプを縮める。
筒ばね部２４は密着巻部２２へと変形して巻軸３０に収められる。
降下速度を落とすために回転阻止手段４４にロータリーダンパーを介在させるのも良い。
【００２２】
図３には本発明テレスコピックパイプ伸縮装置の第２実施例を示す。
図１のものとの相違点は、巻筒ばね２が伸長時の凸面側が内側になるように密着巻癖が与えられたものを使用している点である。
即ち、図２では密着巻部２２と筒ばね部２４の配置が左右逆となり、座屈防止ガイド５の配置も筒ばね部２４の内外逆となる。これにより回転阻止手段４４の爪車４５の爪の向きと爪棒４６の先端の爪の向きも逆となっている。
【００２３】
第２の実施例では、上記の如く巻筒ばね２のタイプが前記実施例と相違しているので、巻筒ばね２がピン制御ドラム４へ抱き付くときの密着状態が具合良く、ピン４０による送りが一層確実なものとなっている。
【００２４】
しかして、図３のものの使用状態も、前記実施例で説明したものとほぼ同じであり、操作者が回転駆動手段４２を動かすと、ピン４０と連続孔２０との噛合いにより、筒ばね部２４が伸び上り、テレスコピックパイプ１と共に先端具１０を上昇させる。降下させる際には、回転阻止手段４４の爪棒４６を操作して引掛りを解除すれば、爪車４５が逆転して巻筒ばね２が降下し、密着巻部２２に巻戻る。
【００２５】
巻筒ばね２は、腹巻きタイプのもの（図１）でも、背巻きタイプのもの（図３）でも、筒状になった時の形状が同じならば耐座屈性能に変わりはないが、密着巻部の形状が同じならば、腹巻きタイプのものの方が円筒形になり易く、従ってスリット幅を狭くつくることができる。（図２）
【００２６】
座屈防止ガイド５は、巻筒ばね２の外側につくる場合（図１）と、内側につくる場合（図３）とでは形状が異なるが、いずれもピン制御ドラム４と僅かの隙間を保つ形状とすることで巻筒ばね２の座屈変形を防止する。
【００２７】
連続孔２０は、実施例に於ては巻筒ばね２の中央に一列に設けたが、複数列に設けてもよく、その場合はピン制御ドラム４のピン４０の列も座屈防止ガイド５のピン溝５０の列も複数となる。孔及びピンは千鳥状に設けられてもよい。
【００２８】
密着巻部２２及び巻軸３０の配置は、図１乃至図３の位置に限定されないが、ピン制御ドラム４への巻筒ばね２の抱付き角度を多くし、出来るだけ多くのピンが引掛かるように、ピン制御ドラム４の位置よりも上、若しくは同じレベルとなされるのが望ましい。
【００２９】
【発明の効果】
本発明の請求項１のテレスコピックパイプ伸縮装置では、テレスコピックパイプの内部に、連続孔の形成された巻筒ばねが配設され、該巻筒ばねの密着巻部と筒ばね部との間にピン制御ドラムが設けられ、該ピン制御ドラムの３ケ以上のピンに巻筒ばねの連続孔が常時噛合うようになされているから、これに載置する物品の荷重は３ケ以上のピンに分散し、巻筒ばねの寿命が格段に伸びる。
【００３０】
本発明の請求項２のテレスコピックパイプ伸縮装置では、上記巻筒ばねが、伸長時の凹面側が内側になるように密着巻癖が与えられているから、巻筒ばねの伸び上る方向の直下にピン制御ドラムを配置できて、テレスコピックパイプの伸縮が極めてスムーズとなり、パワーロスも少ない。
【００３１】
本発明の請求項３のテレスコピックパイプ伸縮装置では、上記巻筒ばねが、伸長時の凸面側が内側になるように密着巻癖が与えられているから、巻筒ばねの伸び上る方向の直下に座屈防止ガイドを配置することができ、しかも巻筒ばねの内側に配置されるので、効果的に荷重を支えることができる。
【００３２】
本発明の請求項４のテレスコピックパイプ伸縮装置では、上記ピン制御ドラムに回転駆動手段及び回転阻止手段が具備されているから、巻筒ばねの連続孔と噛合わせてスリップすることなく、効率よくテレスコピックパイプを伸縮させることができる。
【００３３】
本発明の請求項５のテレスコピックパイプ伸縮装置では、上記回転阻止手段がワンウエイ機能を与えられ、テレスコピックパイプの伸長時にワンウエイ機能を奏するようになされているから、伸長時又は縮小時にいちいち回転阻止手段を操作する必要がないので楽である。
【００３４】
本発明の請求項６のテレスコピックパイプ伸縮装置では、座屈防止ガイドに、ピン制御ドラムのピンの通過するピン溝が形成されているから、巻筒ばねは正確に連続孔により動かされ或いは停止され、極めて精密に制御できる利点がある。
【図面の簡単な説明】
【図１】本発明テレスコピックパイプ伸縮装置の第１実施例を示す断面図。
【図２】図１の巻筒ばね２を取出して示す斜視図。
【図３】本発明のテレスコピックパイプ伸縮装置の第２実施例を示す断面図。
【符号の説明】
１・・テレスコピックパイプ
２・・巻筒ばね
３・・基体
４・・ピン制御ドラム
５・・座屈防止ガイド
１０・・先端具
２０・・連続孔
２２・・密着巻部
２４・・筒ばね部
２５・・筒ばね部上端
２６・・スリット
３０・・巻軸
４０・・ピン
４２・・回転駆動手段
４４・・回転阻止手段
４５・・爪車
４６・・爪棒
４７・・復元ばね
５０・・ピン溝
【図１】
0004962826.tif 000002
【図２】
0004962826.tif 000003
【図３】
0004962826.tif 000004